(57)【要約】【課題】適切な無線リソースの割り当てを行うことができる無線通信システムを提供する。【解決手段】無線基地局１は、無線通信に関する通信品質を取得する通信品質取得部１２と、その通信品質を用いて、無線通信に関する設定で用いられる利用指針情報を生成する利用指針情報生成部１３と、その利用指針情報を含むビーコンを送信する基地局送信部１４と、端末装置２から送信された情報を受信する基地局受信部１５とを備える。端末装置２は、ビーコンを受信する端末受信部２１と、ビーコンに含まれる利用指針情報に応じた無線通信に関する設定を行う設定部２３と、設定に応じて情報を送信する端末送信部２７と、端末受信部２１を用いたキャリアセンスの結果に応じて送信を制御する端末送信制御部２８とを備える。【選択図】図１
2014168127.tif 000002
【特許請求の範囲】
【請求項１】
無線基地局と、当該無線基地局と無線通信を行う１以上の端末装置とを備えた無線通信システムであって、
前記無線基地局は、
無線通信に関する通信品質を取得する通信品質取得部と、
前記通信品質取得部が取得した通信品質を用いて、無線通信に関する設定で用いられる利用指針情報を生成する利用指針情報生成部と、
前記利用指針情報生成部が生成した利用指針情報を含むビーコンを送信する基地局送信部と、
前記端末装置から送信された情報を受信する基地局受信部と、を備え、
前記端末装置は、
前記ビーコンを受信する端末受信部と、
前記端末受信部が受信したビーコンに含まれる利用指針情報に応じた無線通信に関する設定を行う設定部と、
前記設定部による設定に応じて情報を送信する端末送信部と、
前記端末受信部を用いたキャリアセンスの結果に応じて、前記端末送信部による送信を制御する端末送信制御部と、を備えた、無線通信システム。
【請求項２】
前記端末装置は、
前記利用指針情報が、当該端末装置の無線通信の方針に反するかどうか判断する判断部をさらに備え、
前記設定部は、前記利用指針情報が前記端末装置の無線通信の方針に反すると前記判断部によって判断された場合には、前記利用指針情報に応じた設定を行わず、前記利用指針情報が前記端末装置の無線通信の方針に反しないと前記判断部によって判断された場合には、前記利用指針情報に応じた設定を行う、請求項１記載の無線通信システム。
【請求項３】
前記端末装置は、
ユーザから、通信経路の評価を受け付ける受付部をさらに備え、
前記端末送信部は、前記受付部が受け付けた評価を無線基地局に送信し、
前記基地局受信部は、前記端末送信部が送信した評価を受信し、
前記通信品質取得部は、前記基地局受信部が受信した評価を用いて取得された、ユーザが評価した通信経路の主観品質の情報に応じた通信品質を取得する、請求項１または請求項２記載の無線通信システム。
【請求項４】
前記通信品質は、
通信経路の観測品質の情報、ユーザが評価した通信経路の主観品質の情報、及び平常時・非常時を示す情報から選ばれる１以上の情報に応じた情報である、請求項１または請求項２記載の無線通信システム。
【請求項５】
前記利用指針情報は、
変調方式、符号化率、周波数、送信電力、信号帯域幅、通信の品質制御、及び通信優先順位から選ばれる１以上のものに関する指示を含んでいる、請求項１から請求項４のいずれか記載の無線通信システム。
【請求項６】
前記基地局受信部は、他の無線基地局から送信されたビーコンを受信し、
前記利用指針情報生成部は、他の無線基地局から送信されたビーコンに含まれる利用指針情報をも用いて利用指針情報を生成する、請求項１から請求項５のいずれか記載の無線通信システム。
【請求項７】
前記利用指針情報は、アプリケーションごとの情報である、請求項１から請求項６のいずれか記載の無線通信システム。
【請求項８】
１以上の端末装置と無線通信を行う無線基地局であって、
無線通信に関する通信品質を取得する通信品質取得部と、
前記通信品質取得部が取得した通信品質を用いて、無線通信に関する設定で用いられる利用指針情報を生成する利用指針情報生成部と、
前記利用指針情報生成部が生成した利用指針情報を含むビーコンを送信する基地局送信部と、を備えた無線基地局。
【請求項９】
無線基地局と無線通信を行う端末装置であって、
無線通信に関する通信品質を用いて生成された、無線通信に関する設定で用いられる利用指針情報を含むビーコンを受信する端末受信部と、
前記端末受信部が受信したビーコンに含まれる利用指針情報に応じた無線通信に関する設定を行う設定部と、
前記設定部による設定に応じて情報を送信する端末送信部と、
前記端末受信部を用いたキャリアセンスの結果に応じて、前記端末送信部による送信を制御する端末送信制御部と、を備えた端末装置。
【請求項１０】
１以上の端末装置と無線通信を行う無線基地局において処理される無線通信方法であって、
無線通信に関する通信品質を取得する通信品質取得ステップと、
前記通信品質取得ステップで取得した通信品質を用いて、無線通信に関する設定で用いられる利用指針情報を生成する利用指針情報生成ステップと、
前記利用指針情報生成ステップで生成した利用指針情報を含むビーコンを送信する基地局送信ステップと、を備えた無線通信方法。
【請求項１１】
無線基地局と無線通信を行う端末装置において処理される無線通信方法であって、
無線通信に関する通信品質を用いて生成された、無線通信に関する設定で用いられる利用指針情報を含むビーコンを受信する端末受信ステップと、
前記端末受信ステップで受信したビーコンに含まれる利用指針情報に応じた無線通信に関する設定を行う設定ステップと、
キャリアセンスを行うキャリアセンスステップと、
前記キャリアセンスステップにおけるキャリアセンスの結果、及び前記設定ステップにおける設定に応じて情報を送信する端末送信ステップと、を備えた無線通信方法。
【請求項１２】
コンピュータを、
１以上の端末装置と無線通信を行う無線基地局として機能させ、
無線通信に関する通信品質を取得する通信品質取得部、
前記通信品質取得部が取得した通信品質を用いて、無線通信に関する設定で用いられる利用指針情報を生成する利用指針情報生成部、
前記利用指針情報生成部が生成した利用指針情報を含むビーコンを送信する基地局送信部として機能させるためのプログラム。
【請求項１３】
コンピュータを、
無線基地局と無線通信を行う端末装置として機能させ、
無線通信に関する通信品質を用いて生成された、無線通信に関する設定で用いられる利用指針情報を含むビーコンを受信する端末受信部、
前記端末受信部が受信したビーコンに含まれる利用指針情報に応じた無線通信に関する設定を行う設定部、
前記設定部による設定に応じて情報を送信する端末送信部、
前記端末受信部を用いたキャリアセンスの結果に応じて、前記端末送信部による送信を制御する端末送信制御部として機能させるためのプログラム。
【発明の詳細な説明】
【技術分野】
【０００１】
本発明は、無線基地局と、キャリアセンスの結果に応じて当該無線基地局と無線通信する１以上の端末装置とを備えた無線通信システム等に関する。
【背景技術】
【０００２】
従来、無線ＬＡＮにおけるＱｏＳ（Ｑｕａｌｉｔｙ  ｏｆ  Ｓｅｒｖｉｃｅ）の制御方法として、ＩＥＥＥ８０２．１１ｅが知られている（非特許文献１参照）。そのＩＥＥＥ８０２．１１ｅでは、アクセスポイントと端末装置との間の通信においてＱｏＳを制御することができる。具体的には、ビデオ、音声、テキスト等のアプリケーションごとに送信キューを用意し、それらの優先順位にしたがって、送信キューに蓄積された送信パケットを送信する制御が行われる。
【０００３】
また、ＣＩＳＣＯのＣｌｅａｒＡｉｒ技術では、アクセスポイントにおいてスペクトルセンシングを行い、使用する周波数帯における他の無線システムによる利用状況を観測する。そして、その結果をＮｅｉｇｈｂｏｒ  Ｍｅｓｓａｇｅを使用してアクセスポイント間で交換し、その結果に応じて干渉を低減させるため、より適切な周波数への移行や、送信電力の制御等を行うことができる。
【先行技術文献】
【非特許文献】
【０００４】
【非特許文献１】「ＩＥＥＥ  Ｓｔａｎｄａｒｄ  ８０２．１１ｅ」，ＩＥＥＥ，２００５年
【発明の概要】
【発明が解決しようとする課題】
【０００５】
しかしながら、従来のＩＥＥＥ８０２．１１ｅによるＱｏＳの制御方法では、利用可能な無線リソースの状況に関わらず、ビデオ、音声、テキスト等のアプリケーションの種類ごとにあらかじめ決められた優先順位にしたがって無線送信していたため、例えば、無線リソースが不足した場合に、それに応じた制御を行うことができないという問題があった。
また、ＣｌｅａｒＡｉｒ技術では、アクセスポイントがすべての制御を行うため、端末装置が、最新の状況に応じた最適な無線リソースの確保を行うことができないという問題があった。
【０００６】
本発明は、上記課題を解決するためになされたものであり、無線通信ネットワークの通信品質に応じて適切な無線リソースの確保を行うことができる無線通信システム等を提供することを目的とする。
【課題を解決するための手段】
【０００７】
上記目的を達成するため、本発明による無線通信システムは、無線基地局と、無線基地局と無線通信を行う１以上の端末装置とを備えた無線通信システムであって、無線基地局は、無線通信に関する通信品質を取得する通信品質取得部と、通信品質取得部が取得した通信品質を用いて、無線通信に関する設定で用いられる利用指針情報を生成する利用指針情報生成部と、利用指針情報生成部が生成した利用指針情報を含むビーコンを送信する基地局送信部と、端末装置から送信された情報を受信する基地局受信部と、を備え、端末装置は、ビーコンを受信する端末受信部と、端末受信部が受信したビーコンに含まれる利用指針情報に応じた無線通信に関する設定を行う設定部と、設定部による設定に応じて情報を送信する端末送信部と、端末受信部を用いたキャリアセンスの結果に応じて、端末送信部による送信を制御する端末送信制御部と、を備えた、ものである。
このような構成により、個別の制御メッセージを用いることなく、利用指針情報を各端末装置に送信することができ、また、その利用指針情報によって一斉に各端末装置による無線通信を制御することができる。その結果、空き無線リソースを増加させることができ、他の無線バーストとの干渉確率を低減させることができる。
【０００８】
また、本発明による無線通信システムでは、端末装置は、利用指針情報が、端末装置の無線通信の方針に反するかどうか判断する判断部をさらに備え、設定部は、利用指針情報が端末装置の無線通信の方針に反すると判断部によって判断された場合には、利用指針情報に応じた設定を行わず、利用指針情報が端末装置の無線通信の方針に反しないと判断部によって判断された場合には、利用指針情報に応じた設定を行ってもよい。
このような構成により、利用指針情報を命令ではなく手引きとして用いることができ、端末装置における無線通信の方針に反した設定が行われないようにできる。その結果、例えば、端末装置のユーザの満足度の低下を防止することができる。
【０００９】
また、本発明による無線通信システムでは、端末装置は、ユーザから、通信経路の評価を受け付ける受付部をさらに備え、端末送信部は、受付部が受け付けた評価を無線基地局に送信し、基地局受信部は、端末送信部が送信した評価を受信し、通信品質取得部は、基地局受信部が受信した評価を用いて取得された、ユーザが評価した通信経路の主観品質の情報に応じた通信品質を取得してもよい。
このような構成により、ユーザの評価を考慮した利用指針情報を生成することができる。その結果、例えば、ユーザの満足度を向上させることができうる。
【００１０】
また、本発明による無線通信システムでは、通信品質は、通信経路の観測品質の情報、ユーザが評価した通信経路の主観品質の情報、及び平常時・非常時を示す情報から選ばれる１以上の情報に応じた情報であってもよい。
【００１１】
また、本発明による無線通信システムでは、利用指針情報は、変調方式、符号化率、周波数、送信電力、信号帯域幅、通信の品質制御、及び通信優先順位から選ばれる１以上のものに関する指示を含んでいてもよい。
【００１２】
また、本発明による無線通信システムでは、基地局受信部は、他の無線基地局から送信されたビーコンを受信し、利用指針情報生成部は、他の無線基地局から送信されたビーコンに含まれる利用指針情報をも用いて利用指針情報を生成してもよい。
このような構成により、ビーコンを利用して他の無線ネットワークの状況を推測することができ、その状況に応じた利用指針情報を生成することにより、自セルの品質制御や、セル間における無線リソースの利用調整を行うことができる。また、無線基地局の間でメッセージを送受信する必要がないため、空き無線リソースを増加させることができ、他の無線バーストとの干渉確率を低減させることができる。
【００１３】
また、本発明による無線通信システムでは、利用指針情報は、アプリケーションごとの情報であってもよい。
このような構成により、アプリケーションごとに細かい制御や設定を行うことができるようになる。
【００１４】
また、本発明による無線通信方法は、１以上の端末装置と無線通信を行う無線基地局において処理される無線通信方法であって、無線通信に関する通信品質を取得する通信品質取得ステップと、通信品質取得ステップで取得した通信品質を用いて、無線通信に関する設定で用いられる利用指針情報を生成する利用指針情報生成ステップと、利用指針情報生成ステップで生成した利用指針情報を含むビーコンを送信する基地局送信ステップと、を備えたものである。
【００１５】
また、本発明による無線通信方法は、無線基地局と無線通信を行う端末装置において処理される無線通信方法であって、無線通信に関する通信品質を用いて生成された、無線通信に関する設定で用いられる利用指針情報を含むビーコンを受信する端末受信ステップと、端末受信ステップで受信したビーコンに含まれる利用指針情報に応じた無線通信に関する設定を行う設定ステップと、キャリアセンスを行うキャリアセンスステップと、キャリアセンスステップにおけるキャリアセンスの結果、及び設定ステップにおける設定に応じて情報を送信する端末送信ステップと、を備えたものである。
【発明の効果】
【００１６】
本発明による無線通信システム等によれば、個別の制御メッセージを用いることなく、利用指針情報を各端末装置に送信でき、その利用指針情報によって一斉に各端末装置による無線通信を制御できる。その結果、無線リソースの効率的な利用等を実現することができる。
【図面の簡単な説明】
【００１７】
【図１】本発明の実施の形態１による無線通信システムの構成を示すブロック図
【図２】同実施の形態による無線基地局の動作を示すフローチャート
【図３】同実施の形態による端末装置の動作を示すフローチャート
【図４Ａ】同実施の形態におけるアプリケーションごとの優先順位の一例を示す図
【図４Ｂ】同実施の形態におけるアプリケーションごとの優先順位の一例を示す図
【図５】同実施の形態におけるコンピュータシステムの外観一例を示す模式図
【図６】同実施の形態におけるコンピュータシステムの構成の一例を示す図
【発明を実施するための形態】
【００１８】
以下、本発明による無線通信システムについて、実施の形態を用いて説明する。なお、以下の実施の形態において、同じ符号を付した構成要素及びステップは同一または相当するものであり、再度の説明を省略することがある。
【００１９】
（実施の形態１）
本発明の実施の形態１による無線通信システムについて、図面を参照しながら説明する。本実施の形態による無線通信システムは、ビーコンに含まれる利用指針情報を用いて、無線リソースの適切な割り当てを実現するものである。
【００２０】
図１は、本実施の形態による無線通信システム１００の構成を示すブロック図である。本実施の形態による無線通信システム１００は、無線基地局１と、１以上の端末装置２とを備える。無線基地局１と端末装置２とは、無線通信を行う。無線基地局１は、インターネットやイントラネット、公衆電話回線網等の外部のネットワークに接続されていてもよい。そして、無線基地局１は、端末装置２を、その外部のネットワークに接続するものであってもよい。無線基地局１は、端末装置２を外部のネットワークに接続するアクセスポイントであってもよい。なお、図１では、無線通信システム１００が１個の端末装置２のみを有している場合について示しているが、無線通信システム１００は、２個以上の端末装置２を有していてもよい。また、図１では、１個の無線通信システム１００のみを示しているが、他の無線通信システム１００が存在してもよい。その場合に、無線基地局１は、他の無線通信システム１００の有する無線基地局１から送信される情報を受信できてもよい。
【００２１】
無線基地局１は、受付部１１と、通信品質取得部１２と、利用指針情報生成部１３と、基地局送信部１４と、基地局受信部１５と、処理部１６と、送信キュー１７と、基地局送信制御部１８とを備える。
【００２２】
受付部１１は、後述する非常時・平常時を示す情報を受け付ける。この情報は、現在が非常時であるのか、平常時であるのかを示す情報である。非常時とは、多くの人が通信を行いたいと考える状況のことであり、例えば、地震や洪水、台風、火災等の災害時などである。その情報は、例えば、気象庁や他の官庁、管理者等において人手で設定されたものであってもよく、地震計や風速計、気圧計、雨量計等の計測機器等を用いて自動的に設定されたものであってもよい。受付部１１は、例えば、入力デバイス（例えば、キーボードやマウス、タッチパネルなど）から入力された情報を受け付けてもよく、有線もしくは無線の通信回線を介して送信された情報を受信してもよく。なお、受付部１１は、受け付けを行うためのデバイス（例えば、入力デバイスやネットワークカードなど）を含んでもよく、あるいは含まなくてもよい。また、受付部１１は、ハードウェアによって実現されてもよく、あるいは所定のデバイスを駆動するドライバ等のソフトウェアによって実現されてもよい。
【００２３】
通信品質取得部１２は、無線通信に関する通信品質を取得する。無線通信に関する通信品質とは、無線基地局１と１以上の端末装置２との間の無線通信が空いているのか混雑しているのかを示す情報である。通信品質は、例えば、通信経路の観測品質の情報、ユーザが評価した通信経路の主観品質の情報、及び平常時・非常時を示す情報から選ばれる１以上の情報に応じた情報であってもよく、無線通信に関する通信品質の程度を示すその他の情報であってもよい。観測品質や、主観品質は、通信経路の混雑の程度を示す情報である。一方、平常時・非常時を示す情報は、通信品質等の要求レベルを決定する情報である。例えば、音声伝送において、平常時には高い音質による通信を求めるが、非常時には了解度と接続回線数の増大を求める等である。通信経路の観測品質の情報、ユーザが評価した通信経路の主観品質の情報、及び平常時・非常時を示す情報から選ばれる１以上の情報に応じた情報とは、その１以上の情報を含む情報であってもよく、その１以上の情報に対応する値であってもよく、観測品質の情報等に応じたその他の情報であってもよい。その１以上の情報に対応する値とは、例えば、その１以上の情報を引数とする関数の値であってもよく、その１以上の情報にテーブル等によって対応付けられている値であってもよい。通信品質が観測品質の情報等を引数とする関数の値である場合には、例えば、通信品質ηは、次式で示されるように、引数がｆ，ｄ，ｅである関数Ｑの値であってもよい。
η＝Ｑ（ｆ，ｄ，ｅ）
【００２４】
ここで、ｆは観測品質であり、ｄは主観品質であり、ｅは環境を示す情報であってもよい。環境を示す情報とは、前述の平常時・非常時を示す情報であってもよい。なお、関数Ｑの引数は、ｆ，ｄ，ｅから選ばれる１以上の引数であってもよい。また、通信品質が観測品質の情報に応じた情報である場合に、観測品質が高いほど、通信品質も高いものとする。例えば、関数Ｑは、引数ｆの増加関数であってもよい。また、通信品質が主観品質の情報に応じた情報である場合に、主観品質が高いほど、通信品質も高いものとする。例えば、関数Ｑは、引数ｄの増加関数であってもよい。また、通信品質が平常時・非常時を示す情報に応じた情報である場合に、通信品質は、非常時よりも平常時のほうがよいものとする。例えば、関数Ｑは、引数ｅが平常時を示す場合のほうが非常時を示す場合よりも高い値となる関数であってもよい。なお、関数Ｑは、ｅの値に応じて異なる関数であってもよい。例えば、関数Ｑ（ｆ，ｄ，ｅ＝平常時）＝関数Ｑ１（ｆ，ｄ）であり、関数Ｑ（ｆ，ｄ，ｅ＝非常時）＝関数Ｑ２（ｆ，ｄ）であってもよい。なお、任意のｆ，ｄについて、Ｑ１（ｆ，ｄ）＞Ｑ２（ｆ，ｄ）であるとする。また、通信品質は、通信品質が結果として分かるのであれば、混雑状況を示す情報であってもよい。また、上述のηは、ＱｏＥ（Ｑｕａｌｉｔｙ  ｏｆ  Ｅｘｐｅｒｉｅｎｃｅ）であると考えてもよい。
【００２５】
通信経路の観測品質の情報は、例えば、パケットの送受信に応じて測定できる情報を含んでもよく、送信キュー１７でキューイングされているパケットの数に応じて取得できる情報を含んでもよく、それらのうち少なくとも一方の情報に対応する値であってもよい。その情報に対応する値とは、例えば、その情報を引数とする関数の値であってもよく、その情報にテーブル等によって対応付けられている値であってもよい。この通信経路の観測品質の情報は、例えば、ＱｏＳであると考えてもよい。パケットの送受信に応じて測定できる情報は、例えば、スループットであってもよく、遅延であってもよく、ジッタであってもよく、パケットロス率（パケット損失率）であってもよく、周波数帯域が利用されているかどうかを示す周波数の利用状況であってもよく、ビットエラー率であってもよく、それらの任意の２以上の組み合わせであってもよい。また、パケットの送受信に応じて測定できる情報は、スループット等のうち、１以上の情報に対応する値であってもよい。その１以上の情報に対応する値とは、例えば、その１以上の情報を引数とする関数の値であってもよく、その１以上の情報にテーブル等によって対応付けられている値であってもよい。例えば、スループットが高いほど観測品質は高くなり、遅延が短いほど観測品質は高くなり、ジッタがないほど観測品質は高くなり、パケットロス率が低いほど観測品質は高くなり、使用されている周波数帯域（チャネル）が少ないほど観測品質は高くなり、ビットエラー率が低いほど観測品質は高くなる。なお、これらの情報は、無線基地局１が観測した情報であってもよく、端末装置２が観測した情報であってもよく、その両方であってもよい。端末装置２が観測した結果も用いる場合には、通信品質取得部１２は、基地局受信部１５が受信した、端末装置２での観測結果を用いてもよい。また、パケットの送受信に応じて測定できる情報を取得するために、プローブパケットが用いられてもよく、または、他の用途のパケットが用いられてもよい。また、キューイングされているパケットの数に応じて取得できる情報は、送信キュー１７でキューイングされているパケットの数であってもよく、キューイングされているパケットの数の変化の割合（例えば、単位時間あたりの増加率や減少率等）であってもよく、その両方であってもよく、または、キューイングされているパケット数、及び、そのパケット数の変化の割合のうち、少なくとも一方に対応する値であってもよい。少なくとも一方に対応する値とは、例えば、その少なくとも一方を引数とする関数の値であってもよく、その少なくとも一方にテーブル等によって対応付けられている値であってもよい。例えば、送信キュー１７でキューイングされているパケットの数が増加している場合やしきい値よりも多い場合には、送信トラフィックが多く、観測品質は低いと考えられる。また、送信キュー１７でキューイングされているパケットの数が減少している場合やしきい値よりも低い場合には、送信トラフィックが少なく、観測品質は高いと考えられる。なお、この観測品質の情報は、アプリケーションごとの情報であってもよい。その場合には、パケットの送受信に応じて測定できる情報は、例えば、あるアプリケーションで送受信されるパケットを用いて測定される情報であってもよく、キューイングされているパケットの数に応じて取得できる情報は、例えば、あるアプリケーションで用いられる送信キュー１７でキューイングされているパケットの数に応じて取得される情報であってもよい。
【００２６】
通信経路の主観品質の情報は、例えば、後述するように端末装置２から送信され、基地局受信部１５によって受信された、ユーザによる通信経路の評価を用いて取得される情報であってもよい。すなわち、通信品質取得部１２は、その評価を用いて主観品質の情報を取得してもよい。その評価は、例えば、ビデオや音声、テキスト等の通信にユーザが満足しているかどうかを示す情報であってもよい。その評価は、満足・不満足のように２段階の情報であってもよく、満足・普通・不満足等のように３段階の情報であってもよく、４段階以上の情報であってもよい。例えば、ビデオや音声が途切れたり、ノイズが多かったりする場合には、ユーザによる通信経路の評価は「不満足」となり、そうでない場合には、ユーザによる通信経路の評価は「満足」となる。通信品質取得部１２は、満足であることを示す評価が多いほど主観品質が高くなり、不満足であることを示す評価が多いほど主観品質が低くなるように主観品質の情報を取得してもよい。そして、通信品質取得部１２は、その主観品質の情報に応じた通信品質を取得してもよい。なお、この主観品質の情報は、アプリケーションごとの情報であってもよい。その場合には、あるアプリケーションに対応する主観品質の情報は、そのアプリケーションに関するユーザの評価を用いて取得されてもよい。
【００２７】
なお、観測品質や主観品質は、所定の期間の平均値であってもよい。その所定の期間は、例えば、通信品質を取得する時点の直前のあらかじめ決められた期間であってもよく、その他の期間であってもよい。また、無線基地局１が複数の端末装置２と無線通信を行っている場合には、通信品質そのもの、または、その通信品質の取得のために用いられる情報（例えば、観測品質や主観品質、スループット等）は、その複数の端末装置２との複数の無線通信に応じた値であってもよい。複数の無線通信に応じた値とは、複数の無線通信の通信品質や、観測品質、主観品質、スループット等の代表値であってもよい。代表値は、例えば、平均値や中央値であってもよい。
【００２８】
平常時・非常時を示す情報は、前述のように、受付部１１によって受け付けられた情報である。通信品質取得部１２は、受付部１１が受け付けた平常時・非常時を示す情報のうち、最新の情報に応じて通信品質を取得してもよい。例えば、その平常時・非常時を示す最新の情報は、図示しない記録媒体で記憶されていてもよい。
【００２９】
利用指針情報生成部１３は、通信品質取得部１２が取得した通信品質を用いて、無線通信に関する設定で用いられる利用指針情報を生成する。利用指針情報は、無線リソースの利用に関する指針を示す情報である。利用指針情報は、例えば、無線通信に関するパラメータに関する指示であってもよい。無線通信に関するパラメータは、通信のパラメータであってもよく、通信対象のパラメータであってもよい。具体的には、利用指針情報は、変調方式、符号化率、周波数、送信電力、信号帯域幅、通信の品質制御、及び通信優先順位から選ばれる１以上のものに関する指示を含んでいてもよい。例えば、通信の品質制御に関する指示は、通信対象のパラメータに関する指示であり、通信の品質制御以外に関する指示は、通信のパラメータに関する指示である。なお、その指示は、変調方式等の変更の指示（例えば、増加させる、減少させる等）であってもよく、変調方式等をある値に設定する旨の指示（例えば、Ａに設定する、Ｂに設定する等）であってもよく、変調方式等に関するその他の指示であってもよい。また、通信品質取得部１２が取得する通信品質がアプリケーションごとの情報である場合には、利用指針情報生成部１３は、アプリケーションごとに利用指針情報を生成してもよい。なお、利用指針情報は、例えば、前述のηを最大化するように生成されてもよい。より具体的には、無線基地局１のセル内においてなされる１以上の無線通信の通信品質が全体として向上するように利用指針情報が生成されることが好適である。なお、通信品質が全体として向上するようにするため、利用指針情報に応じた設定がなされることによって、一部の端末装置２については通信品質が低下することもありうる。例えば、特定の端末装置２が多くの周波数帯域を占有していることによって、他の複数の端末装置２の通信品質が低下している場合には、その特定の端末装置２の通信品質を下げ、他の複数の端末装置２の通信品質を上げる利用指針情報を利用指針情報生成部１３が生成してもよい。その場合には、特定の端末装置２の通信品質は低下するが、他の複数の端末装置２の通信品質を向上させることができ、結果としてそのセル内の無線通信の通信品質を全体として向上させることができるようになる。
【００３０】
ここで、変調方式、符号化率、周波数、送信電力、信号帯域幅、通信の品質制御、及び通信優先順位のそれぞれに関する指示と、取得された通信品質との関係について説明する。利用指針情報生成部１３は、以下の説明のように、取得された通信品質に応じた利用指針情報を生成してもよい。
【００３１】
変調方式に関する指示は、通信品質の高いときには、変調１回あたりの送信ビット数を大きくする指示（例えば、変調方式を６４ＱＡＭにする指示や、変調方式を１段階送信ビット数が大きくなるように変更する指示等）であってもよく、通信品質の低いときには、変調１回あたりの送信ビット数を小さくする指示（例えば、変調方式をＢＰＳＫにする指示や、変調方式を１段階送信ビット数が小さくなるように変更する指示等）であってもよい。なお、通信品質に観測品質の情報及び主観品質の情報が含まれている場合であって、観測品質が高く、主観品質が低い場合には、変調方式に関する指示は、変調１回あたりの送信ビット数を大きくする指示であってもよい。
【００３２】
符号化率に関する指示は、通信品質の高いときには、符号化率を大きくする指示（例えば、符号化率を３／４にする指示や、符号化率を１段階大きくする指示等）であってもよく、通信品質の低いときには、符号化率を小さくする指示（例えば、符号化率を１／２にする指示や、符号化率を１段階小さくする指示等）であってもよい。なお、通信品質に観測品質の情報が含まれており、その観測品質の情報にビットエラー率が含まれている場合には、ビットエラー率が大きいときの符号化率に関する指示は、符号化率を小さくする指示であり、ビットエラー率が小さいときの符号化率に関する指示は、符号化率を大きくする指示であってもよい。
【００３３】
なお、変調方式に関する指示と、符号化率に関する指示とは、一体となっていてもよい。例えば、それらに関する指示は、通信品質の高いときには、データレートを高くする指示であってもよく、通信品質が低いときには、データレートを低くする指示であってもよい。具体的には、無線通信がＩＥＥＥ８０２．１１ｎ規格によって行われる場合には、データレートを高くする指示は、ＭＣＳ（Ｍｏｄｕｌａｔｉｏｎ  ａｎｄ  Ｃｏｄｉｎｇ  Ｓｃｈｅｍｅ）インデックスを大きくする指示であり、データレートを低くする指示は、ＭＣＳインデックスを小さくする指示であってもよい。ただし、ストリーム数の変わらない範囲でＭＣＳインデックスが変更されることが好適である。
【００３４】
周波数に関する指示は、通信品質が高いときには、周波数を制限しない指示（すなわち、周波数を指示しないことや、通信で使用するチャネル数を２チャネル以上にする指示等）であってもよく、通信品質の低いときには、周波数を制限する指示（例えば、空いているチャネルであるチャネル３で通信を行う旨の指示や、通信で使用するチャネル数を１チャネルにする旨の指示等）であってもよい。なお、周波数は、チャネル以外で指定されてもよい。
【００３５】
送信電力に関する指示は、通信品質の高いときには、送信電力を制限しない指示や、送信電力を下げる指示であってもよく、通信品質の低いときには、送信電力を制限する指示（例えば、送信電力が下限と上限との間になるようにする旨の指示等）や、送信電力を上げる指示であってもよい。
【００３６】
信号帯域幅に関する指示は、通信品質の高いときには、帯域幅を拡げる指示（例えば、信号帯域幅を４０ＭＨｚにする指示や、信号帯域幅を５ＭＨｚだけ拡げる指示等）であってもよく、通信品質の低いときには、帯域幅を狭める指示（例えば、信号帯域幅を２０ＭＨｚにする指示や、信号帯域幅を５ＭＨｚだけ狭める指示等）であってもよい。なお、通信品質に主観品質が含まれている場合には、信号帯域幅に関する指示は、主観品質が低いときには帯域幅を拡げる指示であり、主観品質が高いときには信号帯域幅を狭める指示であってもよい。また、通信品質に観測品質が含まれている場合であって、信号帯域幅に関する指示がアプリケーションごとの指示である場合には、テキストの通信のアプリケーションに対応する信号帯域幅に関する指示は、観測品質が低いときには帯域幅を狭める指示であり、主観品質が高いときには信号帯域幅を拡げる指示であってもよい。このようにすることで、テキストの通信に関する送信機会を増やすことができると考えられる。
【００３７】
通信の品質制御に関する指示は、通信品質の高いときには、通信の品質を高くする指示（例えば、通信の品質を１段階上げる指示や、通信の品質を３２ｋｂｐｓにする指示、送信キューからのパケット送出頻度を増加させる指示等）であってもよく、通信品質の低いときには、通信の品質を低くする指示（例えば、通信の品質を１段階下げる指示や、通信の品質を９．６ｋｂｐｓにする指示、送信キューからのパケット送出頻度を減少させる指示等）であってもよい。この通信の品質制御に関する指示は、アプリケーションの通信の品質を制御する指示であってもよい。
【００３８】
通信優先順位に関する指示は、通信品質の高いときには、通信品質の高いときの優先順位で通信する指示であってもよく、通信品質の低いときには、通信品質の低いときの優先順位で通信する指示であってもよい。通信優先順位は、例えば、図４Ａで示されるように、アプリケーションごとの優先順位であってもよい。そして、通信品質の高いときの優先順位と、通信品質の低いときの優先順位とは異なっていてもよい。例えば、通信品質が低い場合には、アプリケーション「ボイス」の優先順位が高くなってもよい。なお、通信品質に平常時・非常時を示す情報が含まれている場合には、通信優先順位に関する指示は、平常時・非常時を示す情報が平常時を示すときには、平常時に応じた優先順位で通信する指示であり、平常時・非常時を示す情報が非常時を示すときには、非常時に応じた優先順位で通信する指示であってもよい。
【００３９】
基地局送信部１４は、利用指針情報生成部１３が生成した利用指針情報を含むビーコンを送信する。ビーコンとは、無線基地局１が繰り返して送信する信号である。ビーコンは、例えば、周期的に送信されてもよい。その送信の周期は、例えば、１００（ｍｓ）であってもよく、その他の周期であってもよい。ビーコンは、利用指針情報以外に、例えば、無線基地局１の識別子を含む信号であってもよい。その無線基地局１の識別子は、例えば、ＩＥＥＥ８０２．１１規格におけるＳＳＩＤ（Ｓｅｒｖｉｃｅ  Ｓｅｔ  Ｉｄｅｎｔｉｆｉｅｒ）であってもよい。利用指針情報がアプリケーションごとの情報である場合には、そのアプリケーションごとの利用指針情報がビーコンに含まれてもよい。また、基地局送信部１４は、ビーコン以外の情報を送信してもよい。例えば、インターネット等の通信回線を介して行われる通信において端末装置２が受信する情報を、基地局送信部１４が端末装置２に送信してもよい。具体的には、基地局送信部１４は、送信キュー１７でキューイングされているパケットを、順次送信してもよい。その送信の際に、基地局送信部１４は、キャリアセンスの結果を用いた基地局送信制御部１８の制御に応じた送信を行ってもよい。基地局送信部１４は、通常、アンテナを介して無線で情報を送信する。なお、基地局送信部１４は、送信を行うための送信デバイス（例えば、ネットワークカードなど）を含んでもよく、あるいは含まなくてもよい。また、基地局送信部１４は、ハードウェアによって実現されてもよく、あるいは送信デバイスを駆動するドライバ等のソフトウェアによって実現されてもよい。
【００４０】
基地局受信部１５は、端末装置２から送信された情報を受信する。例えば、基地局受信部１５は、端末装置２の端末送信部２７が送信した、ユーザによる通信経路の評価を受信してもよい。また、基地局受信部１５は、その他の情報を受信してもよい。また、基地局受信部１５は、キャリアセンスを行ってもよい。キャリアセンスとは、空き周波数帯域を検出（センシング）することである。基地局受信部１５は、通常、無線で送信された情報を、アンテナを介して受信する。なお、基地局受信部１５は、受信を行うための無線の受信デバイス（例えば、ネットワークカードなど）を含んでもよく、あるいは含まなくてもよい。また、基地局受信部１５は、ハードウェアによって実現されてもよく、あるいは受信デバイスを駆動するドライバ等のソフトウェアによって実現されてもよい。
【００４１】
処理部１６は、受信された情報、送信される情報に関する処理を行う。処理部１６は、その処理をアプリケーションごとに行ってもよい。例えば、ボイス通信が行われている場合には、処理部１６は、外部のネットワークから受信されたボイス通信に応じたパケットを送信キュー１７に蓄積したり、基地局受信部１５が受信したボイス通信に応じたパケットを受け取り、外部のネットワークに送信したりするなどの処理を行ってもよい。なお、送信キュー１７において、アプリケーションごとにキューイングを行うことができる場合には、処理部１６は、アプリケーションごとにパケットを送信キュー１７に蓄積してもよい。また、例えば、基地局受信部１５が、ユーザによる通信経路の評価を受信した場合には、処理部１６は、その評価を含むパケットから評価の情報を取り出し、通信品質取得部１２に渡してもよく、図示しない記録媒体に蓄積してもよい。
【００４２】
送信キュー１７には、送信前の情報が一時的に記憶される。前述のように、送信キュー１７では、アプリケーションごとに情報が記憶されてもよい。送信キュー１７は、所定の記録媒体（例えば、半導体メモリや磁気ディスクなど）によって実現されうる。
【００４３】
基地局送信制御部１８は、基地局受信部１５を用いたキャリアセンスの結果に応じて、基地局送信部１４による送信を制御する。具体的には、基地局送信制御部１８は、キャリアセンスの結果に応じて空いている周波数を特定し、その特定した周波数で送信するように基地局送信部１４を制御してもよい。基地局送信制御部１８による制御は、例えば、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）の制御であってもよい。なお、キャリアセンスの結果に応じて通信で用いる周波数を制御することはすでに公知であり、その詳細な説明を省略する。
【００４４】
端末装置２は、端末受信部２１と、判断部２２と、設定部２３と、受付部２４と、処理部２５と、送信キュー２６と、端末送信部２７と、端末送信制御部２８とを備える。
端末受信部２１は、無線基地局１から送信されたビーコンを受信する。また、端末受信部２１は、ビーコン以外の情報を受信してもよい。また、端末受信部２１は、キャリアセンスを行ってもよい。また、端末受信部２１は、通常、無線で送信された情報を、アンテナを介して受信する。なお、端末受信部２１は、受信を行うための無線の受信デバイス（例えば、ネットワークカードなど）を含んでもよく、あるいは含まなくてもよい。また、端末受信部２１は、ハードウェアによって実現されてもよく、あるいは受信デバイスを駆動するドライバ等のソフトウェアによって実現されてもよい。
【００４５】
判断部２２は、端末受信部２１が受信したビーコンに含まれる利用指針情報が、端末装置２の無線通信の方針に反するかどうか判断する。ここで、端末装置２の無線通信の方針は、例えば、ユーザによる方針であってもよく、アプリケーションによる方針であってもよく、または、その両方であってもよい。ユーザによる方針は、例えば、ユーザが設定した方針であってもよく、受付部２４が受け付けた、ユーザによる通信経路の評価（この評価については後述する）に応じた方針であってもよい。そのユーザが設定した方針は、例えば、利用指針情報に応じた設定を行うという方針であってもよく、利用指針情報に応じた設定を行わないという方針であってもよく、または、通信品質が高くなる場合にのみ利用指針情報に応じた設定を行うという方針であってもよい。また、そのユーザが設定した方針は、利用指針情報に含まれている指示ごと（例えば、変調方式や符号化率等ごと）に、指針に応じた設定を行うかどうかを示す方針であってもよい。また、ユーザによる評価に応じた方針は、例えば、ユーザによる通信経路の評価が低い場合には、現状よりも高い通信品質で通信を行うことであり、ユーザによる通信経路の評価が高い場合には、現状の通信品質、または、任意の通信品質で通信を行うことであってもよい。アプリケーションによる方針は、例えば、処理部２５が通信したい対象に応じた方針であってもよい。通信したい対象とは、例えば、通信内容（例えば、ボイスであるのか、テキストであるのかなど）であってもよく、通信量（通信容量）であってもよい。その方針は、例えば、処理部２５が通信したい対象の通信内容が高い通信品質を要求する場合（例えば、通信内容がビデオである場合等）や、処理部２５が通信したい対象の通信量が多い場合には、高い通信品質で通信を行うことであり、処理部２５が通信したい対象の通信内容が高い通信品質を要求しない場合や、処理部２５が通信したい対象の通信量が少ない場合には、任意の通信品質で通信を行うことであってもよい。なお、通信したい対象の通信量については、通信対象の全データ量で判断してもよく、または、送信キュー２６でキューイングされているデータ量で判断してもよい。また、端末装置２の無線通信の方針は、上述した以外の基準に応じた方針であってもよい。２以上の方針を用いる場合、例えば、ユーザによる方針と、アプリケーションによる方針とを用いる場合には、端末装置２の無線通信の方針は、それらの２以上の方針を含んでもよく、または、それらの２以上の方針から生成された１個の方針であってもよい。この端末装置２の無線通信の方針のうち、ユーザが設定する方針以外については、処理部２５によって生成されてもよい。また、端末装置２の無線通信の方針は、アプリケーションごとの情報であってもよい。また、端末装置２の無線通信の方針は、図示しない記録媒体で記憶されており、判断部２２は、それを読み出して判断の処理に用いてもよい。
【００４６】
判断部２２は、端末装置２の無線通信の方針によって、より高い通信品質または高い通信品質が求められているのに対して、利用指針情報が、通信品質を低下させる指針である場合には、利用指針情報が端末装置２の無線通信の方針に反すると判断してもよい。一方、端末装置２の無線通信の方針によって通信品質の制限がない場合には、利用指針情報が端末装置２の無線通信の方針に反しないと判断してもよい。具体的には、端末装置２の無線通信の方針によって、より高いスループットの通信が求められているとすると、利用指針情報に、送信ビット数が小さくなる変調方式に関する指示や、符号化率が小さくなる符号化率に関する指示、周波数を制限する指示、送信電力が下がることになる送信電力に関する指示、帯域幅を狭める信号帯域幅に関する指示、通信の品質を低くする旨の通信の品質制御に関する指示、優先順位が下がることになる通信優先順位に関する指示が含まれている場合には、各指示は端末装置２の無線通信の方針に反すると判断されてもよい。なお、その判断は、指示ごとになされてもよい。すなわち、ある利用指針情報について、例えば、変調方式に関する指示は端末装置２の無線通信の方針に反しないが、信号帯域幅に関する指示は端末装置２の無線通信の方針に反すると判断してもよい。なお、ビーコンに含まれる利用指針情報がアプリケーションごとの情報である場合や、端末装置２の無線通信の方針がアプリケーションごとの情報である場合には、判断部２２は、アプリケーションごとに、利用指針情報と端末装置２の無線通信の方針とが一致するかどうかを判断してもよい。また、ユーザによって、利用指針情報に応じた設定を行うという方針が設定されている場合には、判断部２２は、利用指針情報が端末装置２の無線通信の方針に反しないと判断してもよい。また、ユーザによって、利用指針情報に応じた設定を行わないという方針が設定されている場合には、判断部２２は、利用指針情報が端末装置２の無線通信の方針に反すると判断してもよい。また、ユーザによって、通信品質が高くなる場合にのみ利用指針情報に応じた設定を行うという方針が設定されている場合には、判断部２２は、利用指針情報が通信品質を向上させる指針であるときには、利用指針情報が端末装置２の無線通信の方針に反しないと判断し、利用指針が通信品質を低下させる指針であるときには、利用指針情報が端末装置２の無線通信の方針に反すると判断してもよい。また、判断部２２は、それ以外の判断を行ってもよい。例えば、判断部２２は、ビーコンに含まれる利用指針情報と、端末装置２の無線通信の方針との比較を行うかどうかを判断してもよい。具体的には、利用指針情報が更新されていない場合には、判断部２２は、両者の比較を行わないと判断してもよい。また、利用指針情報が、強度の最も強いビーコンに含まれているものではない場合には、判断部２２は、両者の比較を行わないと判断してもよい。他のセルからのビーコンに含まれる利用指針情報に応じた設定を行わないようにするためである。
【００４７】
設定部２３は、端末受信部２１が受信したビーコンに含まれる利用指針情報が端末装置２の無線通信の方針に反しないと判断部２２によって判断された場合には、その利用指針情報に応じた無線通信に関する設定を行う。なお、アプリケーションごとに判断が行われた場合には、設定部２３は、アプリケーションごとに無線通信に関する設定を行ってもよい。また、利用指針情報に含まれる指示ごとに判断が行われた場合には、設定部２３は、その指示ごとに無線通信に関する設定を行ってもよい。一方、利用指針情報が端末装置２の無線通信の方針に反すると判断部２２によって判断された場合には、設定部２３は、利用指針情報に応じた設定を行わない。このようにすることで、端末装置２の方針に反しない範囲で、利用指針情報に応じた設定が行われることになり、利用指針情報によって端末装置２のユーザの満足度を低下させたり、アプリケーションに悪影響を与えたりすることを防止することができる。設定部２３は、例えば、利用指針情報のうち、通信のパラメータに関する指示に応じて端末送信部２７に設定を行ってもよく、通信対象のパラメータに関する指示に応じて処理部２５に設定を行ってもよい。設定部２３は、例えば、変調方式、符号化率、周波数、送信電力、信号帯域幅、通信優先順位については、端末送信部２７に対して設定を行い、通信の品質制御については、処理部２５に対して設定を行ってもよい。なお、設定部２３は、通信のパラメータに関する指示に応じた変調方式等を、制御チャネル等を介して無線基地局１に送信してもよい。具体的には、設定部２３は、通信のパラメータに関する指示に応じた変調方式等と、端末装置２の識別子とを無線基地局１に送信するように処理部２５を制御してもよい。その結果、それらの情報が送信キュー２６、端末送信部２７を介して無線基地局１に送信されてもよい。また、無線基地局１では、それらの情報を受信すると、その受信した識別子で識別される端末装置２に送信を行う場合には、その受信した変調方式等によって、送信を行うものとする。その結果、端末受信部２１は、利用指針情報に応じた変調方式等によって情報を受信できるようになる。なお、利用指針情報に含まれる２以上の指示のうち、一部の指示（例えば、変調方式に関する指示等）について端末装置２の無線通信の方針に反しないと判断された場合には、設定部２３は、端末装置２の無線通信の方針に反しない指示についてのみ、その指示に応じた設定を行ってもよい。
【００４８】
受付部２４は、ユーザから、通信経路の評価を受け付ける。その評価は、前述のように、満足・不満足のように２段階の情報であってもよく、３段階以上の情報であってもよい。また、受付部２４は、評価以外の情報、例えば、通信に関する操作や、アプリケーションに関する操作等を受け付けてもよい。受付部２４は、例えば、入力デバイス（例えば、キーボードやマウス、タッチパネルなど）から入力された情報を受け付けてもよく、有線もしくは無線の通信回線を介して送信された情報を受信してもよい。なお、受付部２４は、受け付けを行うためのデバイス（例えば、入力デバイスやネットワークカードなど）を含んでもよく、あるいは含まなくてもよい。また、受付部２４は、ハードウェアによって実現されてもよく、あるいは所定のデバイスを駆動するドライバ等のソフトウェアによって実現されてもよい。
【００４９】
処理部２５は、受信された情報、送信される情報に関する処理を行う。処理部２５は、その処理をアプリケーションごとに行ってもよい。例えば、ボイス通信が行われている場合には、処理部２５は、ボイス通信に応じたパケットを送信キュー２６に蓄積したり、端末受信部２１が受信したボイス通信に応じたパケットを受け取ったりするなどの処理を行ってもよい。なお、送信キュー２６において、アプリケーションごとにキューイングを行うことができる場合には、処理部２５は、アプリケーションごとにパケットを送信キュー２６に蓄積してもよい。また、例えば、受付部２４がユーザによる通信経路の評価を受け付けた場合には、処理部２５は、その評価を含むパケットが無線基地局１に送信されるように処理してもよい。具体的には、処理部２５は、その評価を含むパケットを送信キュー２６に蓄積してもよい。また、処理部２５は、端末装置２の無線通信の方針を生成してもよい。例えば、受付部２４によって受け付けられた評価によって、ユーザによる通信経路の評価が低いことが示される場合には、処理部２５は、現状よりも高い通信品質で通信を行う方針を生成してもよく、ユーザによる通信経路の評価が普通である場合、または高いことが示される場合には、処理部２５は、任意の通信品質で通信を行う方針を生成してもよい。また、処理部２５は、通信内容が高い通信品質を要求する場合や、通信量が多い場合には、高い通信品質で通信を行う方針を生成し、通信内容が高い通信品質を要求しない場合や、通信量が少ない場合には、任意の通信品質で通信を行う方針を生成してもよい。また、処理部２５は、その他の基準に応じて、端末装置２の無線通信の方針を生成してもよい。また、処理部２５は、その生成した方針を図示しない記録媒体に蓄積してもよい。また、設定部２３によって、通信の品質制御に関する指示に応じた設定がなされた場合には、処理部２５は、その設定に応じた処理を行ってもよい。例えば、通信の品質が９．６ｋｂｐｓに設定された場合には、処理部２５は、その速度で送信が行われるように処理を行ってもよい。また、例えば、送信キュー２６からの送出頻度を増加または減少させる指示に応じて、処理部２５は、送信キュー２６からの送出頻度を制御してもよい。
【００５０】
送信キュー２６には、送信前の情報が一時的に記憶される。送信キュー２６では、アプリケーションごとに情報が記憶されてもよい。送信キュー２６は、所定の記録媒体（例えば、半導体メモリや磁気ディスクなど）によって実現されうる。
【００５１】
端末送信部２７は、設定部２３による設定に応じて情報を送信する。例えば、設定部２３によって変調方式が６４ＱＡＭに設定された場合には、端末送信部２７は、変調方式「６４ＱＡＭ」による送信を行う。また、端末送信部２７は、キャリアセンスの結果を用いた端末送信制御部２８による制御に応じた送信を行ってもよい。端末送信部２７は、例えば、キャリアセンスによって空いていることが確認された周波数帯域において、設定された変調方式等による送信を行ってもよい。また、端末送信部２７は、受付部２４が受け付けた、ユーザによる通信経路の評価を無線基地局１に送信してもよい。また、端末送信部２７は、評価以外の情報を送信してもよい。例えば、インターネット等の通信回線を介して行われる通信において端末装置２が送信する情報を、端末送信部２７が無線基地局１に送信してもよい。具体的には、端末送信部２７は、送信キュー２６でキューイングされているパケットを、順次送信してもよい。端末送信部２７は、通常、アンテナを介して無線で情報を送信する。なお、端末送信部２７は、送信を行うための送信デバイス（例えば、ネットワークカードなど）を含んでもよく、あるいは含まなくてもよい。また、端末送信部２７は、ハードウェアによって実現されてもよく、あるいは送信デバイスを駆動するドライバ等のソフトウェアによって実現されてもよい。
【００５２】
端末送信制御部２８は、端末受信部２１を用いたキャリアセンスの結果に応じて、端末送信部２７による送信を制御する。具体的には、端末送信制御部２８は、キャリアセンスの結果に応じて空いている周波数を特定し、その特定した周波数で送信するように端末送信部２７を制御してもよい。端末送信制御部２８による制御は、例えば、ＣＳＭＡ／ＣＡの制御であってもよい。なお、キャリアセンスの結果に応じて通信で用いる周波数を制御することはすでに公知であり、その詳細な説明を省略する。
【００５３】
また、通信経路の観測品質の情報が、端末装置２で観測された情報に応じた情報である場合には、端末装置２は、スループット等の情報を測定する図示しない測定部を有していてもよい。そして、端末送信部２７は、その測定部によって測定されたスループット等の情報を無線基地局１に送信してもよい。
【００５４】
次に、無線基地局１の動作について図２のフローチャートを用いて説明する。なお、図２のフローチャートは、処理部１６以外の構成要素による処理を主に示すものである。したがって、処理部１６は、図２のフローチャートと別に、送信対象の情報を送信キュー１７に蓄積したり、受信された情報に応じた処理を行ったりしてもよい。
【００５５】
（ステップＳ１０１）利用指針情報生成部１３は、利用指針情報を生成するかどうか判断する。そして、利用指針情報を生成する場合には、ステップＳ１０２に進み、そうでない場合には、ステップＳ１０４に進む。なお、利用指針情報生成部１３は、例えば、利用指針情報を生成すると定期的に判断してもよく、無線基地局１が送受信する情報量が所定の量となるごとに利用指針情報を生成すると判断してもよく、その他のタイミングで利用指針情報を生成すると判断してもよい。
【００５６】
（ステップＳ１０２）通信品質取得部１２は、通信品質を取得する。通信品質取得部１２は、その通信品質の取得の際に、図示しない記録媒体で記憶されている、ユーザによる通信経路の評価や、平常時・非常時を示す情報を用いてもよい。また、通信品質取得部１２は、その通信品質の取得の際に、送信キュー１７でキューイングされている情報量や、基地局受信部１５によるキャリアセンスの結果を用いてもよい。
【００５７】
（ステップＳ１０３）利用指針情報生成部１３は、ステップＳ１０２で取得された通信品質を用いて、利用指針情報を生成する。その生成された利用指針情報は、図示しない記録媒体で一時的に記憶されてもよい。そして、ステップＳ１０１に戻る。
【００５８】
（ステップＳ１０４）基地局送信部１４は、ビーコンを送信するかどうか判断する。そして、ビーコンを送信する場合には、ステップＳ１０５に進み、そうでない場合には、ステップＳ１０７に進む。なお、基地局送信部１４は、例えば、ビーコンを送信すると定期的に判断してもよく、その他のタイミングでビーコンを送信すると判断してもよい。
【００５９】
（ステップＳ１０５）基地局送信部１４は、利用指針情報生成部１３が生成した最新の利用指針情報を含むビーコンを生成する。
【００６０】
（ステップＳ１０６）基地局送信部１４は、生成したビーコンを送信する。そして、ステップＳ１０１に戻る。
【００６１】
（ステップＳ１０７）基地局受信部１５は、情報を受信したかどうか判断する。そして、情報を受信した場合には、ステップＳ１０８に進み、そうでない場合には、ステップＳ１０９に進む。
【００６２】
（ステップＳ１０８）処理部１６等は、受信に応じた処理を行う。例えば、基地局受信部１５が、ユーザによる通信経路の評価を受信した場合には、処理部１６は、その評価を図示しない記録媒体に蓄積してもよい。そして、ステップＳ１０１に戻る。
【００６３】
（ステップＳ１０９）基地局送信部１４は、情報を送信するかどうか判断する。そして、送信する場合には、ステップＳ１１０に進み、そうでない場合には、ステップＳ１１３に進む。なお、基地局送信部１４は、例えば、送信キュー１７にキューイングされている情報がある場合には、送信すると定期的に判断してもよい。
【００６４】
（ステップＳ１１０）基地局送信制御部１８は、キャリアセンスを行うかどうか判断する。そして、キャリアセンスを行う場合には、ステップＳ１１１に進み、そうでない場合には、ステップＳ１１２に進む。基地局送信制御部１８は、例えば、前回のキャリアセンスからあらかじめ決められた時間以上、経過している場合に、キャリアセンスを行うと判断してもよく、伝送路品質の低下が検出された場合に、キャリアセンスを行うと判断してもよく、または、その他のタイミングでキャリアセンスを行うと判断してもよい。
【００６５】
（ステップＳ１１１）基地局受信部１５は、キャリアセンスを行う。
【００６６】
（ステップＳ１１２）基地局送信部１４は、最新のキャリアセンスの結果を用いた基地局送信制御部１８の制御に応じて情報を送信する。そして、ステップＳ１０１に戻る。
【００６７】
（ステップＳ１１３）受付部１１は、平常時・非常時を示す情報を受け付けたかどうか判断する。そして、その情報を受け付けた場合には、ステップＳ１１４に進み、そうでない場合には、ステップＳ１０１に戻る。
【００６８】
（ステップＳ１１４）受付部１１は、受け付けた平常時・非常時を示す情報を図示しない記録媒体に蓄積する。そして、ステップＳ１０１に戻る。
【００６９】
なお、図２のフローチャートにおいて、電源オフや処理終了の割り込みにより処理は終了する。また、ビーコンの送信頻度と、利用指針情報の生成頻度とが等しい場合には、ステップＳ１０３からステップＳ１０５に進んでもよい。その場合には、ステップＳ１０１でＮＯである際にステップＳ１０７に進んでもよい。
【００７０】
次に、端末装置２の動作について図３のフローチャートを用いて説明する。なお、図３のフローチャートは、処理部２５以外の構成要素による処理を主に示すものである。したがって、処理部２５は、図３のフローチャートと別に、送信対象の情報を送信キュー２６に蓄積したり、受信された情報に応じた処理を行ったりしてもよい。
（ステップＳ２０１）端末受信部２１は、情報を受信したかどうか判断する。そして、受信した場合には、ステップＳ２０２に進み、そうでない場合には、ステップＳ２０７に進む。
【００７１】
（ステップＳ２０２）端末受信部２１は、ビーコンを受信したかどうか判断する。そして、ビーコンを受信した場合には、ステップＳ２０３に進み、そうでない場合には、ステップＳ２０６に進む。
【００７２】
（ステップＳ２０３）判断部２２は、受信されたビーコンに含まれる利用指針情報を、端末装置２の無線通信の方針と比較するかどうか判断する。例えば、端末受信部２１が２以上の無線基地局１からのビーコンを受信する場合には、判断部２２は、ステップＳ２０１で受信されたビーコンの電波強度が最も強いかどうか判断し、最も強い場合に、利用指針情報生成部と端末装置２の無線通信の方針とを比較すると判断し、そうでない場合に、両者を比較しないと判断してもよい。このようにすることで、与干渉・被干渉の影響の大きいセルの利用指針情報を用いることができるようになる。なお、この判断を行う場合には、判断部２２は、過去に受信されたビーコンの強度を、無線基地局１の識別子に対応付けて一時的に記憶していてもよい。また、判断部２２は、過去に受信された最新の利用指針情報を一時的に記憶しておき、ステップＳ２０１で受信されたビーコンに含まれる利用指針情報が、一時的に記憶している最新の利用指針情報と一致するかどうか判断してもよい。そして、一致する場合には、利用指針情報が更新されていないため、判断部２２は、利用指針情報生成部と端末装置２の無線通信の方針とを比較しないと判断してもよい。一致しない場合には、利用指針情報が更新されているため、判断部２２は、利用指針情報生成部と端末装置２の無線通信の方針とを比較すると判断してもよい。そして、利用指針情報を、端末装置２の無線通信の方針と比較する場合には、ステップＳ２０４に進み、そうでない場合には、ステップＳ２０１に戻る。
【００７３】
（ステップＳ２０４）判断部２２は、受信されたビーコンに含まれる利用指針情報が、端末装置２の無線通信の方針に反するかどうか判断する。そして、利用指針情報が端末装置２の無線通信の方針に反しない場合には、ステップＳ２０５に進み、そうでない場合には、ステップＳ１０１に戻る。なお、利用指針情報と端末装置２の方針との比較がアプリケーションごとに行われる場合には、いずれかのアプリケーションにおいて、利用指針情報と端末装置２の方針とが反しないと判断されるとステップＳ２０５に進むものとする。
【００７４】
（ステップＳ２０５）設定部２３は、利用指針情報に応じた通信の設定を行う。なお、利用指針情報と端末装置２の方針との比較がアプリケーションごとに行われ、いずれかのアプリケーションにおいて、利用指針情報と端末装置２の方針とが反しないと判断された場合には、設定部２３は、利用指針情報と端末装置２の方針とが反しないと判断されたアプリケーションについてのみ、利用指針情報に応じた通信の設定を行う。
【００７５】
（ステップＳ２０６）処理部２５は、端末受信部２１が受信した情報に応じた処理を行う。そして、ステップＳ１０１に戻る。
【００７６】
（ステップＳ２０７）端末送信部２７は、情報を送信するかどうか判断する。そして、送信する場合には、ステップＳ２０８に進み、そうでない場合には、ステップＳ２１１に進む。なお、端末送信部２７は、例えば、送信キュー２６にキューイングされている情報がある場合には、送信すると定期的に判断してもよい。
【００７７】
（ステップＳ２０８）端末送信制御部２８は、キャリアセンスを行うかどうか判断する。そして、キャリアセンスを行う場合には、ステップＳ２０９に進み、そうでない場合には、ステップＳ２１０に進む。端末送信制御部２８は、例えば、前回のキャリアセンスからあらかじめ決められた時間以上、経過している場合に、キャリアセンスを行うと判断してもよく、伝送路品質の低下が検出された場合に、キャリアセンスを行うと判断してもよく、または、その他のタイミングでキャリアセンスを行うと判断してもよい。
【００７８】
（ステップＳ２０９）端末受信部２１は、キャリアセンスを行う。
【００７９】
（ステップＳ２１０）端末送信部２７は、設定部２３による設定と、最新のキャリアセンスの結果を用いた端末送信制御部２８の制御とに応じて情報を送信する。そして、ステップＳ２０１に戻る。
【００８０】
（ステップＳ２１１）受付部２４は、ユーザから、通信経路の評価を受け付けたかどうか判断する。そして、受け付けた場合には、ステップＳ２１２に進み、そうでない場合には、ステップＳ２０１に戻る。
【００８１】
（ステップＳ２１２）処理部２５は、受付部２４が受け付けた、ユーザによる通信経路の評価を無線基地局１に送信するため、送信キュー２６に蓄積する。なお、その評価が、あるアプリケーションに対応付けられて受け付けられた場合には、処理部２５は、その評価が、そのアプリケーションの評価であることが分かるように無線基地局１に送信してもよい。具体的には、アプリケーション識別子と一緒に送信してもよい。そして、ステップＳ２０１に戻る。
【００８２】
なお、図３のフローチャートにおいて、電源オフや処理終了の割り込みにより処理は終了する。また、図３のフローチャートでは、ステップＳ２０３の判断処理を行う場合について説明したが、例えば、２以上のビーコンを受信しない場合や、ビーコンごとに利用指針情報が更新されている場合には、その判断処理を行わなくてもよい。
【００８３】
次に、本実施の形態による無線通信システム１００の動作について、具体例を用いて説明する。この具体例では、説明を簡単にするため、利用指針情報は、変調方式、符号化率、通信優先順位に関する変更の指示であるとする。また、この具体例では、端末装置２では、ユーザによる通信経路の評価と、送信キュー２６でキューイングされているパケット数とに応じて、端末装置２の無線通信の方針が決められるものとする。すなわち、処理部２５は、ユーザによる最新の３０分以内の評価が低い場合、または、キューイングされているパケット数が多い場合には、高い通信品質で通信を行う方針を生成し、それ以外の場合には、任意の通信品質で通信を行う方針を生成するものとする。
【００８４】
また、各端末装置２は、アプリケーションタイプと、優先度とを対応付ける優先度テーブルとして、図４Ａで示される平常時用のものと、図４Ｂで示される非常時用のものとを保持しているものとする。図４Ａ，図４Ｂにおいて、優先度と、アプリケーションタイプを識別する識別子と、アプリケーションタイプとが対応付けられている。アプリケーションタイプは、各アプリケーションに対応するタイプであり、例えば、電話などの音声通信を行うアプリケーションに対応するアプリケーションタイプは「ボイス」であり、動画配信を行うアプリケーションに対応するアプリケーションタイプは「ビデオ」である。個別のアプリケーションと、アプリケーションタイプとの対応は、例えば、アプリケーションの設計者によって設定されてもよく、または、ユーザによって設定されてもよい。また、図４Ａと図４Ｂを比較すると、非常時には、ビデオの優先度が下げられている。非常時には、動画での通信よりも、他の通信のほうが優先されると考えられるからである。また、この具体例では、説明を簡単にするため、利用指針情報、及びユーザによる通信経路の評価は、アプリケーションごとではないものとする。
【００８５】
まず、無線基地局１と端末装置２とが、利用周波数帯域が非常に空いている状態で無線通信をしていたとする。また、受付部１１で受け付けられた、平常時・非常時を示す情報の最新のものは、「平常時」を示していたとする。また、受信された評価による不満足の割合は、５％であったとする。なお、その割合は、直近の３０分以内に受信された評価を用いたものであるとする。したがって、そのときには、高いスループット、少ない遅延・ジッタ、低いパケットロス率・ビットエラー率、周波数の低い利用状況が取得され（ステップＳ１０１，Ｓ１０２）、それに応じて次の利用指針情報が生成され、図示しない記録媒体に蓄積されたとする（ステップＳ１０３）。
変調方式：６４ＱＡＭ
符号化率：３／４
通信優先順位：平常時用
【００８６】
基地局送信部１４は、ビーコンの送信タイミングになると（ステップＳ１０４）、その変調方式等を有する利用指針情報を含むビーコンを生成し（ステップＳ１０５）、そのビーコンを送信する（ステップＳ１０６）。なお、そのビーコンには、無線基地局１のＳＳＩＤ「ＡＰ１０１」も含まれているものとする。送信されたビーコンは、端末装置２の端末受信部２１で受信される（ステップＳ２０１，Ｓ２０２）。すると、判断部２２は、それまでに記憶しているＳＳＩＤと、ビーコン強度とを対応付ける情報において、ＳＳＩＤ「ＡＰ１０１」に対応するビーコン強度を上書きで更新する。そして、その更新されたビーコン強度が、他のビーコン強度と比較して最も大きいか判断する。この場合には、ＳＳＩＤ「ＡＰ１０１」に対応するビーコン強度が最も大きかったとする。次に、判断部２２は、それまでに記憶している利用指針情報と、ビーコンに含まれる利用指針情報とが同じであるかどうか判断する。この場合には、両者は異なっていたとする。すると、判断部２２は、新たに受信された利用指針情報を、記憶されている利用指針情報に上書きすることによって利用指針情報を更新し、その利用指針情報と、端末装置２の無線通信の方針とを比較する（ステップＳ２０３）。
【００８７】
ここで、端末装置２において、その時点までユーザによる通信経路の評価の入力はなく、また、送信キュー２６でキューイングされているパケット数も多くなかったとする。したがって、処理部２５は、任意の通信品質で通信を行う方針を生成していたとする。すると、判断部２２は、利用指針情報が端末装置２の無線通信の方針に反しないと判断し（ステップＳ２０４）、その判断結果を設定部２３に渡す。すると、設定部２３は、端末受信部２１が受信したビーコンに含まれる利用指針情報に応じた設定を行う。すなわち、変調方式が６４ＱＡＭであり、符号化率が３／４であり、優先度テーブルとして図４Ａのものを用いる設定を行う（ステップＳ２０５）。そして、その設定に応じた通信が、無線基地局１と端末装置２との間で行われることになる（ステップＳ１０９〜Ｓ１１２，Ｓ１０７，１０８，Ｓ２０１，２０２，Ｓ２０６，Ｓ２０７〜２１０）。
【００８８】
その後、無線基地局１のセルで通信を行う端末装置２以外の無線端末が増えてきたとする。そのため、通信品質取得部１２により、利用する周波数チャネルの高い利用状況が取得され（ステップＳ１０１，Ｓ１０２）、その結果、周辺の無線端末信号による干渉の影響を低減するために、次の利用指針情報が生成されたとする（ステップＳ１０３）。
変調方式：１６ＱＡＭ
符号化率：１／２
通信優先順位：平常時用
【００８９】
その利用指針情報は、上述の説明と同様にして、ビーコンに含まれて送信され（ステップＳ１０４〜Ｓ１０６）、端末装置２において、その利用指針情報に応じた設定がなされたとする（ステップＳ２０１〜Ｓ２０５）。その設定の変更に応じて、無線基地局１と端末装置２との間の無線通信の通信レートが低くなり、端末装置２のユーザの満足度が低下し、ユーザが、「不満足」ボタンをクリックまたはタップしたとする。すると、受付部２４は、ユーザの評価「不満足」を受け付け（ステップＳ２１１）、処理部２５に渡す。処理部２５は、その評価「不満足」を含むパケットを構成し、そのパケットを送信キュー２６に蓄積する（ステップＳ２１２）。また、処理部２５は、評価「不満足」が受け付けられた旨と、その日時とを図示しない記録媒体に蓄積する。また、処理部２５は、その評価に応じて、高い通信品質で通信を行う方針を生成したとする。
【００９０】
その後、無線基地局１のセルで通信を行う無線端末がさらに増え、その結果として、低い通信品質が通信品質取得部１２によって取得されたとする（ステップＳ１０１，Ｓ１０２）。そして、利用指針情報生成部１３は、それに応じて次の利用指針情報を生成したとする（ステップＳ１０３）。
変調方式：ＱＰＳＫ
符号化率：１／２
通信優先順位：平常時用
【００９１】
その利用指針情報は、上述の説明と同様にして、ビーコンに含まれて送信され（ステップＳ１０４〜Ｓ１０６）、端末装置２で受信される（ステップＳ２０１，Ｓ２０２）。また、判断部２２は、そのビーコンが、最も大きいビーコン強度のものであると判断し、また、利用指針情報はそれまでに記憶しているものと異なると判断したとする（ステップＳ２０３）。一方、その利用指針情報は、通信レートを下げるものであるが、端末装置２の無線通信の方針は、高い通信品質で通信を行う方針であるため、判断部２２は、利用指針情報が端末装置２の方針に反すると判断する（ステップＳ２０４）。その結果、端末装置２は、変調方式「１６ＱＡＭ」及び符号化率「１／２」の設定のまま、通信を行うことになる。
【００９２】
端末装置２がユーザからの評価「不満足」を受け付けてから３０分以上が経過したとする。そして、処理部２５は、任意の通信品質で通信を行う方針を生成したとする。その後、地震の発生に応じて、受付部１１が、非常時を示す情報を受け付けたとする（ステップＳ１１３）。すると、受付部１１は、その情報を図示しない記録媒体に蓄積する（ステップＳ１１４）。そして、利用指針情報を生成する次のタイミングで、利用指針情報生成部１３は、次の利用指針情報を生成したとする（ステップＳ１０１〜Ｓ１０３）。
変調方式：１６ＱＡＭ
符号化率：１／２
通信優先順位：非常時用
【００９３】
その利用指針情報は、上述の説明と同様にして、ビーコンに含まれて送信され（ステップＳ１０４〜Ｓ１０６）、端末装置２において、その利用指針情報に応じた設定がなされたとする（ステップＳ２０１〜Ｓ２０５）。その設定の変更に応じて、無線基地局１と端末装置２との間の無線通信は、図４Ｂの優先度テーブルを用いて行われるようになる。
【００９４】
以上のように、本実施の形態による無線通信システム１００によれば、ビーコンにより、セル内のすべての端末装置２に利用指針情報を伝えることができ、自律分散型無線システムにおいて、無線リソースの適切な割り当てを実現することができうる。また、利用指針情報をビーコンに含めて送信するため、個別の制御メッセージに利用指針情報を含めて送信する場合と比較して、利用指針情報の送信に伴う通信量の増大を抑制することができる。その結果、空き無線リソースの増加を実現できる。また、利用指針情報に含まれる通信の品質制御に関する指示により、アプリケーションの品質を制御する場合には、セル内のすべての端末装置２について、送信パケット数を調整することができ、無線リソースの利用状況を制御できることになる。また、利用指針情報は、無線リソースやアプリケーション品質等の比較的長期間のトレンドに応じているが、実際の無線リソースの確保は、キャリアセンスの結果を用いて、時々刻々と変化する無線リソース等の利用状況に応じてなされることになる。したがって、長期のトレンドと、短期の状況との両方を考慮した適切な通信制御を行うことができると考えられる。また、利用指針情報を用いてセル内の通信を制御することによって、周波数帯の公平な共用を実現することもできるようになる。また、端末装置２において、利用指針情報が自端末の方針に反すると判断された場合には、その利用指針情報に応じた設定を行わないことにより、各端末装置２に固有の状況にも配慮した制御を行うことができるようになる。
【００９５】
なお、通信品質取得部１２が取得する通信品質が、ユーザが評価した通信経路の主観品質の情報に応じた情報でない場合には、端末装置２は、ユーザによる評価を受け付ける受付部１１を備えていなくてもよい。
【００９６】
また、利用指針情報が、端末装置２の無線通信の方針に反するかどうかを判断しない場合には、端末装置２は、判断部２２を備えていなくてもよい。この場合には、利用指針情報が更新されるごとに、その更新後の利用指針情報に応じた設定が端末装置２で行われることになる。
【００９７】
また、基地局受信部１５は、他の無線基地局１から送信されたビーコンを受信してもよい。そして、利用指針情報生成部１３は、他の無線基地局１から送信されたビーコンに含まれる利用指針情報をも用いて自セルの利用指針情報を生成してもよい。例えば、他の無線基地局１からのビーコンに含まれる利用指針情報に、通信品質を下げる方向の変更の指示が含まれている場合には、利用指針情報生成部１３は、同様に通信品質を下げる方向の利用指針情報を生成してもよい。また、例えば、他の無線基地局１からのビーコンに含まれる利用指針情報に、符号化率を下げる変更の指示が含まれている場合には、利用指針情報生成部１３は、自セル内の端末装置２が、周囲のセルに干渉を与えている可能性を考慮し、送信電力を抑制する指示を含む利用指針情報を生成してもよい。なお、送信電力を抑制する指示は、例えば、送信電力が所定の上限値以下となるように変更する旨の指示であってもよい。
【００９８】
また、本実施の形態で説明した通信品質や、利用指針情報は一例であり、それらは上述の説明に限定されるものではない。また、通信経路の観測品質の情報、ユーザが評価した通信経路の主観品質も一例であり、それらは上述の説明に限定されるものではない。また、通信品質と利用指針情報に含まれる各指示との関係の一例について説明したが、それらは上述の説明に限定されるものではない。また、本実施の形態では、非常時が災害時である場合について主に説明したが、年末年始等のように、多くの人が通信を行いたいと考えるイベントの発生時も、非常時に含まれると考えてもよく、または、そうでなくてもよい。また、本実施の形態では、通信品質取得部１２が、ユーザによる通信経路の評価を、処理部１６を介して受け取る場合について説明したが、通信品質取得部１２は、基地局受信部１５からその評価を受け取ってもよい。また、アプリケーションとアプリケーションタイプとの対応は、固定であってもよく、または、変化してもよい。また、無線基地局１においてキャリアセンスの結果に応じた送信を行わない場合には、無線基地局１は、基地局送信制御部１８を備えていなくてもよい。
【００９９】
また、上記実施の形態において、各処理または各機能は、単一の装置または単一のシステムによって集中処理されることによって実現されてもよく、あるいは、複数の装置または複数のシステムによって分散処理されることによって実現されてもよい。
【０１００】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【０１０１】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していなくても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１０２】
また、上記実施の形態において、各構成要素等で用いられる情報、例えば、各構成要素が処理で用いるしきい値やアドレス、各種の設定値等の情報がユーザによって変更されてもよい場合には、上記説明で明記していなくても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１０３】
また、上記実施の形態において、無線基地局１や端末装置２に含まれる２以上の構成要素が通信デバイスや入力デバイス等を有する場合に、２以上の構成要素が物理的に単一のデバイスを有してもよく、あるいは、別々のデバイスを有してもよい。
【０１０４】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、記憶部や記録媒体にアクセスしながらプログラムを実行してもよい。なお、上記実施の形態における無線基地局１を実現するソフトウェアは、以下のようなプログラムである。つまり、このプログラムは、コンピュータを、１以上の端末装置と無線通信を行う無線基地局として機能させ、無線通信に関する通信品質を取得する通信品質取得部、通信品質取得部が取得した通信品質を用いて、無線通信に関する設定で用いられる利用指針情報を生成する利用指針情報生成部、利用指針情報生成部が生成した利用指針情報を含むビーコンを送信する基地局送信部として機能させるためのプログラムである。
【０１０５】
また、上記実施の形態における端末装置２を実現するソフトウェアは、以下のようなプログラムである。つまり、このプログラムは、コンピュータを、無線基地局と無線通信を行う端末装置として機能させ、無線通信に関する通信品質を用いて生成された、無線通信に関する設定で用いられる利用指針情報を含むビーコンを受信する端末受信部、端末受信部が受信したビーコンに含まれる利用指針情報に応じた無線通信に関する設定を行う設定部、設定部による設定に応じて情報を送信する端末送信部、端末受信部を用いたキャリアセンスの結果に応じて、端末送信部による送信を制御する端末送信制御部として機能させるためのプログラムである。
【０１０６】
なお、上記プログラムにおいて、上記プログラムが実現する機能には、ハードウェアでしか実現できない機能は含まれない。例えば、情報を取得する取得部や、情報を送信する送信部、情報を受信する受信部などにおけるモデムやインターフェースカードなどのハードウェアでしか実現できない機能は、上記プログラムが実現する機能には少なくとも含まれない。
【０１０７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１０８】
また、このプログラムを実行するコンピュータは、単数であってもよく、複数であってもよい。すなわち、集中処理を行ってもよく、あるいは分散処理を行ってもよい。
【０１０９】
図５は、上記プログラムを実行して、上記実施の形態による無線基地局１、端末装置２を実現するコンピュータの外観の一例を示す模式図である。上記実施の形態は、コンピュータハードウェア及びその上で実行されるコンピュータプログラムによって実現されうる。
【０１１０】
図５において、コンピュータシステム９００は、ＣＤ−ＲＯＭドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１１１】
図６は、コンピュータシステム９００の内部構成を示す図である。図６において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮやＷＡＮ等への接続を提供する図示しないネットワークカードを含んでいてもよい。
【０１１２】
コンピュータシステム９００に、上記実施の形態による無線基地局１、端末装置２の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１１３】
プログラムは、コンピュータ９０１に、上記実施の形態による無線基地局１、端末装置２の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１１４】
また、本発明は、以上の実施の形態に限定されることなく、種々の変更が可能であり、それらも本発明の範囲内に包含されるものであることは言うまでもない。
【産業上の利用可能性】
【０１１５】
以上より、本発明による無線通信システム等によれば、個別の制御メッセージを用いることなく、利用指針情報を各端末装置に送信することができるという効果が得られ、例えば、無線ＬＡＮのシステム等として有用である。
【符号の説明】
【０１１６】
１  無線基地局
２  端末装置
１１、２４  受付部
１２  通信品質取得部
１３  利用指針情報生成部
１４  基地局送信部
１５  基地局受信部
１６、２５  処理部
１７、２６  送信キュー
１８  基地局送信制御部
２１  端末受信部
２２  判断部
２３  設定部
２７  端末送信部
２８  端末送信制御部
【図１】
2014168127.tif 000003
【図２】
2014168127.tif 000004
【図３】
2014168127.tif 000005
【図４Ａ】
2014168127.tif 000006
【図４Ｂ】
2014168127.tif 000007
【図５】
2014168127.tif 000008
【図６】
2014168127.tif 000009